(57)【特許請求の範囲】
【請求項１】
濾過血液を収容する容器の開口部に取り付けられる支持体と、血液濾過膜で覆われた透孔を備えた血液濾過領域を含んでなる血液濾過器具において、
前記血液濾過領域が、前記血液濾過膜で覆われた前記透孔を壁部に備えたカップ状のフィルタ容器によって構成されており、
前記フィルタ容器が前記支持体に対して着脱可能に組み付けられていると共に、
前記フィルタ容器と前記支持体とを解除可能に固定する仮固定機構を備えており、且つ、
前記フィルタ容器の開口部分から外周側に突出する固定片が形成されていると共に、該固定片と前記支持体の対向面間の一方に設けられた突部と、該固定片と該支持体の対向面間の他方に設けられて該突部が嵌合される凹部を含んで前記仮固定機構が構成されていることを特徴とする血液濾過器具。
【請求項２】
濾過血液を収容する容器の開口部に取り付けられる支持体と、血液濾過膜で覆われた透孔を備えた血液濾過領域を含んでなる血液濾過器具において、
前記血液濾過領域が、前記血液濾過膜で覆われた前記透孔を壁部に備えたカップ状のフィルタ容器によって構成されており、
前記フィルタ容器が前記支持体に対して着脱可能に組み付けられていると共に、
前記フィルタ容器の開口部分から外周側に広がる把持片が形成されており、該把持片は該フィルタ容器が前記支持体に装着された状態で前記支持体の上面よりも外周に突出するように形成されていることを特徴とする血液濾過器具。
【請求項３】
濾過血液を収容する容器の開口部に取り付けられる支持体と、血液濾過膜で覆われた透孔を備えた血液濾過領域を含んでなる血液濾過器具において、
前記血液濾過領域が、前記血液濾過膜で覆われた前記透孔を壁部に備えたカップ状のフィルタ容器によって構成されており、
前記フィルタ容器が前記支持体に対して着脱可能に組み付けられていると共に、
前記支持体が、前記容器の開口部分に重ね合わされる環状枠部を有しており、該環状枠部で囲まれた囲繞空間に対して前記フィルタ容器が組み付けられるようになっており、且つ、
前記囲繞空間を複数領域に仕切る隔壁が前記環状枠部に一体的に設けられており、該隔壁で仕切られた複数の該領域において前記血液濾過領域が構成されていることを特徴とする血液濾過器具。
【請求項４】
濾過血液を収容する容器の開口部に取り付けられる支持体と、血液濾過膜で覆われた透孔を備えた血液濾過領域を含んでなる血液濾過器具において、
前記血液濾過領域が、前記血液濾過膜で覆われた前記透孔を壁部に備えたカップ状のフィルタ容器によって構成されており、
前記支持体に対して前記フィルタ容器の複数個がそれぞれ着脱可能に組み付けられていると共に、それら各フィルタ容器において相互に識別可能な識別標識が設けられていることを特徴とする血液濾過器具。
【請求項５】
濾過血液を収容する容器の開口部に取り付けられる支持体と、血液濾過膜で覆われた透孔を備えた血液濾過領域を含んでなる血液濾過器具において、
前記血液濾過領域が、前記血液濾過膜で覆われた前記透孔を壁部に備えたカップ状のフィルタ容器によって構成されており、
前記フィルタ容器が前記支持体に対して着脱可能に組み付けられていると共に、
互いに異なる複数種類の前記支持体を含んでいる一方、該複数種類の該支持体に対してそれぞれ共通の前記フィルタ容器が組み付け可能とされていることを特徴とする血液濾過器具。
【請求項６】
前記血液濾過領域が、前記支持体の上方に開口して複数設けられており、該複数の血液濾過領域の少なくとも一つが、前記支持体に対して着脱可能な前記フィルタ容器によって構成されている請求項１〜５の何れか一項に記載の血液濾過器具。
【発明の詳細な説明】
【技術分野】
【０００１】
本発明は、採取した血液の濾過等に用いられる血液濾過器具に関する。
【背景技術】
【０００２】
従来から、採取した血液を濾過するフィルタを備えた血液濾過器具が知られている。例えば、血栓等で閉塞した血管の閉塞部位に対して血栓吸引カテーテルを挿し入れて採取した血液を、血液濾過器具を用いて濾過し、分離された血栓を含む残留物を観察や分析等することが行われている。
【０００３】
かかる血液濾過器具は、一般に特開２０１３−１４１４５６号公報（特許文献１）に記載のセルストレーナーのように、カップ状の剛性部材の底壁や周壁にフィルタを備えてなる血液収容領域を設けると共に、該剛性部材の開口部から鍔状に広がる幅広の環状枠体を設け、この環状枠体を、濾過血液を収容する容器の開口部に重ね合わせることで容器へ装着されるようになっている。そして、採取した血液を上方から開口部を通じて血液収容領域に注ぎ入れることで、血液がフィルタにより濾過されて、血栓等が血液から分離されることとなる。
【０００４】
ところが、このような従来構造の血液濾過器具では、容器の開口部に対する安定した装着を実現するために、鍔状に広がる環状枠体を幅広に設ける等大型化が避け難かった。それ故、フィルタの濾過面積や血液収容領域の容積に比して濾過器具の全体サイズが大型化し、器具の取り扱いが面倒であるだけでなく、濾過採取した残留物を病理診断等のためにホルマリンに浸漬する等の前処理をするに際して、準備された処理用容器へ濾過器具ごと入れて処理することが困難な場合もあった。
【０００５】
現状では、このような問題に対して、ホルマリン漬等の前処理用の小型容器を準備して、濾過採取した残留物をかかる小型容器に移し替えて処理することで対応している。しかしながら、別の小型容器が必要となるだけでなく、移し替えという余分な工程も必要となって、作業性が悪化すると共に錯誤発生の原因となるおそれもあった。
【先行技術文献】
【特許文献】
【０００６】
【特許文献１】特開２０１３−１４１４５６号公報
【発明の概要】
【発明が解決しようとする課題】
【０００７】
ここにおいて、本発明は、上述の如き事情を背景として為されたものであって、その解決課題とするところは、容器への取付状態での安定性を確保しつつ、濾過採取した残留物に対するその後の作業性を向上することができる、新規な構造の血液濾過器具を提供することにある。
【課題を解決するための手段】
【０００８】
本発明の第１の態様は、濾過血液を収容する容器の開口部に取り付けられる支持体と、血液濾過膜で覆われた透孔を備えた血液濾過領域を含んでなる血液濾過器具において、前記血液濾過領域が、前記血液濾過膜で覆われた前記透孔を壁部に備えたカップ状のフィルタ容器によって構成されており、前記フィルタ容器が前記支持体に対して着脱可能に組み付けられていると共に、前記フィルタ容器と前記支持体とを解除可能に固定する仮固定機構を備えており、且つ、前記フィルタ容器の開口部分から外周側に突出する固定片が形成されていると共に、該固定片と前記支持体の対向面間の一方に設けられた突部と、該固定片と該支持体の対向面間の他方に設けられて該突部が嵌合される凹部を含んで前記仮固定機構が構成されていることを特徴とするものである。
【０００９】
本態様に従う構造とされた血液濾過器具では、容器に取り付けられる支持体に対して、血液濾過膜を備えたフィルタ容器を別体に構成し、且つ着脱可能に組み付けるようにしている。それ故、容器の開口部に対する安定した装着を実現するために、支持体を大型に設けた場合でも、濾過採取した残留物を収容するフィルタ容器を支持体から取り外してその後の処理を行うことが可能となる。それ故、容器への取り付け状態での安定性を確保しつつ、濾過採取した残留物に対するその後の作業性を格段に向上させることができるのである。
【００１０】
また、本態様に従う構造とされた血液濾過器具では、支持体に対して着脱可能とされたフィルタ容器を、仮固定機構により支持体に対して解除可能に仮固定することができる。従って、血液濾過器具を容器に取り付ける際や、吸引した血液を血液収容領域に注ぎ入れる際等に、フィルタ容器が支持体から誤って離脱することを未然に防止することができ、安定した作業が可能となる。さらに、本態様の血液濾過器具では、フィルタ容器の開口部分から外周側に突出する固定片が形成されていると共に、固定片と支持体の対向面間に仮固定機構が設けられている。それ故、簡単な構造で仮固定機構を実現することができる。なお、血液濾過膜で覆われた透孔は、フィルタ容器の壁部の任意の場所に設けることができ、底壁に設けられることが好ましいが、それに加えて又は代えて周壁に設けられても良い。さらに、本態様の血液濾過器具は、単一の血液収容領域がフィルタ容器で形成された構成でもよいし、複数の血液収容領域の少なくとも１つがフィルタ容器で形成された構成であってもよい。
【００１１】
本発明の第２の態様は、濾過血液を収容する容器の開口部に取り付けられる支持体と、血液濾過膜で覆われた透孔を備えた血液濾過領域を含んでなる血液濾過器具において、前記血液濾過領域が、前記血液濾過膜で覆われた前記透孔を壁部に備えたカップ状のフィルタ容器によって構成されており、前記フィルタ容器が前記支持体に対して着脱可能に組み付けられていると共に、前記フィルタ容器の開口部分から外周側に広がる把持片が形成されており、該把持片は該フィルタ容器が前記支持体に装着された状態で前記支持体の上面よりも外周に突出するように形成されているものである。
【００１２】
本態様に従う構造とされた血液濾過器具では、上記［０００９］に記載の効果に加えて、次の効果が発揮され得る。すなわち、本態様によれば、支持体に装着されたフィルタ容器の把持片が支持体の上面よりも外周側に突出されるようになっていることから、把持片を手指で摘むことによって、フィルタ容器を容易に支持体から取り外し且つ安定して把持することが可能になる。なお、本態様の把持片は、上記態様１の固定片と共用して形成することも可能である。また、かかる把持片は、フィルタ容器の周壁部の開口部分の全周に亘ってフランジ状に形成することも可能であるし、実施形態のように周上で部分的に突出する舌片形状等をもって形成することも可能である。
【００１３】
本発明の第３の態様は、濾過血液を収容する容器の開口部に取り付けられる支持体と、血液濾過膜で覆われた透孔を備えた血液濾過領域を含んでなる血液濾過器具において、前記血液濾過領域が、前記血液濾過膜で覆われた前記透孔を壁部に備えたカップ状のフィルタ容器によって構成されており、前記フィルタ容器が前記支持体に対して着脱可能に組み付けられていると共に、前記支持体が、前記容器の開口部分に重ね合わされる環状枠部を有しており、該環状枠部で囲まれた囲繞空間に対して前記フィルタ容器が組み付けられるようになっており、且つ、前記囲繞空間を複数領域に仕切る隔壁が前記環状枠部に一体的に設けられており、該隔壁で仕切られた複数の該領域において前記血液濾過領域が構成されているものである。
【００１４】
本態様に従う構造とされた血液濾過器具では、上記［０００９］に記載の効果に加えて、次の効果が発揮され得る。すなわち、本態様によれば、支持体が環状枠部を備えていることから、支持体を容器に対して環状枠部を介して安定して装着することができる。さらに、環状枠部で囲まれた囲繞空間にフィルタ容器が組み付けられることにより、スペース効率のよい血液濾過器具を実現することができる。また、本態様の血液濾過器具では、容器の開口部分に重ね合される環状枠部の囲繞空間を複数に仕切る隔壁が環状枠部に一体的に設けられていることから、複数の血液収容領域をスペース効率よく構成しつつ、支持体全体の強度向上を図り、作業性や取扱性の一層の向上を図ることができる。
【００１５】
本発明の第４の態様は、濾過血液を収容する容器の開口部に取り付けられる支持体と、血液濾過膜で覆われた透孔を備えた血液濾過領域を含んでなる血液濾過器具において、前記血液濾過領域が、前記血液濾過膜で覆われた前記透孔を壁部に備えたカップ状のフィルタ容器によって構成されており、前記支持体に対して前記フィルタ容器の複数個がそれぞれ着脱可能に組み付けられていると共に、それら各フィルタ容器において相互に識別可能な識別標識が設けられているものである。
【００１６】
本態様の血液濾過器具では、上記［０００９］に記載の効果に加えて、次の効果が発揮され得る。すなわち、本態様によれば、複数のフィルタ容器が支持体から着脱可能に組み付けられていることから、各フィルタ容器に相互に識別可能な識別標識を付すことにより、何れの部位から採取した濾過残留物であるかを容易に識別することができる。それ故、複数のフィルタ容器を支持体から離脱可能にした場合であっても、採取した濾過残留物の確実な識別が可能となり、錯誤の発生等を有利に防止できる。
【００１７】
本発明の第５の態様は、濾過血液を収容する容器の開口部に取り付けられる支持体と、血液濾過膜で覆われた透孔を備えた血液濾過領域を含んでなる血液濾過器具において、前記血液濾過領域が、前記血液濾過膜で覆われた前記透孔を壁部に備えたカップ状のフィルタ容器によって構成されており、前記フィルタ容器が前記支持体に対して着脱可能に組み付けられていると共に、互いに異なる複数種類の前記支持体を含んでいる一方、該複数種類の該支持体に対してそれぞれ共通の前記フィルタ容器が組み付け可能とされているものである。
【００１８】
本態様の血液濾過器具では、上記［０００９］に記載の効果に加えて、次の効果が発揮され得る。すなわち、本態様によれば、血液濾過器具が装着される容器のサイズや構造などに対応して、サイズや形状が異なる複数種類の支持体を予め用意することができる。しかも、それら複数種類の支持体に対して、それぞれ共通のフィルタ容器が組み付け可能とされている。従って、例えば共通のフィルタ容器に対してサイズや形状が異なる複数種類の支持体を組み合わせてセット販売することで、使用する容器に応じて任意のサイズの支持体を適宜に選択使用しつつ、任意に選択した支持体に対して共通のフィルタ容器を共用して使用することも可能となり、利便性の更なる向上が達成され得る。
【００１９】
本発明の第６の態様は、前記第１〜５の何れか１つの態様に係る血液濾過器具であって、前記血液濾過領域が、前記支持体の上方に開口して複数設けられており、該複数の該血液濾過領域の少なくとも一つが、前記支持体に対して着脱可能な前記フィルタ容器によって構成されているものである。
【００２０】
本態様の血液濾過器具では、複数の血液濾過領域でそれぞれ独立した血液濾過が実現可能となる。すなわち、それぞれ別の箇所の血栓を吸引したり、同一個所でも複数回に分けて血栓を吸引した際に、各吸引時毎の血栓を各別に観察や検査したい場合がある。そのような場合に、各吸引時毎の血液を別の血液濾過領域で濾過を行うことで、各吸引時毎の濾過残留物を複数の血液濾過領域に取り分けることができる。しかも、少なくとも１つの血液濾過領域が着脱可能なフィルタ容器によって構成されていることから、更なる利便性の向上を図ることができる。
【発明の効果】
【００２９】
本発明に従う構造とされた血液濾過器具によれば、採取した血液を濾過する容器に取り付けられる支持体に対して、血液濾過膜を備えたフィルタ容器を別体に構成し、且つ着脱可能に組み付けるようにしている。これにより、容器の開口部に対する安定した装着を支持体で実現しつつ、濾過採取した残留物を収容するフィルタ容器を支持体から取り外してその後の後処理を行うことが可能となる。それ故、容器への取り付け状態での安定性を確保しつつ、濾過採取した残留物に対するその後の作業性を格段に向上させることができるのである。
【図面の簡単な説明】
【００３０】
【図１】本発明の第１の実施形態としての血液濾過器具が容器に取り付けられた状態を示す斜視図。
【図２】図１に示す容器に取り付けられた血液濾過器具の分解斜視図。
【図３】図１におけるＩＩＩ−ＩＩＩ断面拡大図。
【図４】図１におけるＩＶ−ＩＶ断面拡大図。
【図５】本発明の第２の実施形態としての血液濾過器具を示す分解斜視図。
【図６】本発明の第３の実施形態としての血液濾過器具を示す平面図。
【図７】図６におけるＶＩＩ−ＶＩＩ断面拡大図。
【図８】本発明の第４の実施形態としての血液濾過器具を示す平面図。
【図９】本発明の第５の実施形態としての血液濾過器具を示す分解斜視図（なお、容器も含む）。
【図１０】図３に示された第１の実施形態の仮固定機構の別の態様例を示す断面拡大図。
【発明を実施するための形態】
【００３１】
以下、本発明の実施形態について、図面を参照しつつ説明する。
【００３２】
先ず、図１〜４には、本発明の第１の実施形態としての血液濾過器具１０が示されている。この血液濾過器具１０は、濾過血液を収容するビーカー等の容器１２の開口部１４に装着されて、採取された血液の濾過に用いられる。なお、以下の説明において、特に断りのない場合には、上下方向とは、血液濾過器具１０の使用状態で略鉛直上下方向とされる、図１における上下方向を言うものとする。
【００３３】
より詳細には、血液濾過器具１０は、容器１２の開口部１４に取り付けられる支持体１６と、支持体１６に対して着脱可能に組み付けられるフィルタ容器１８を含んで構成されている。これら支持体１６とフィルタ容器１８は何れも、例えばポリプロピレン（ＰＰ）、ポリアミド（ＰＡ）等の合成樹脂により射出成形等によって一体的に形成されている。
【００３４】
支持体１６は、上下方向に向かって円筒状に延びる環状枠部２０を有している。環状枠部２０は、下方に位置する大径筒部２２と、上方に位置する小径筒部２４が、これら筒部２２，２４間に配設された円環状部２６によって連結された構造とされている。より詳細には、円環状部２６は、大径筒部２２の上端と、小径筒部２４の下端とを連結するように広がって構成されている。かかる円環状部２６の下面が、容器１２の開口部１４に重ね合わされることにより、支持体１６が容器に対して安定して取り付けられるようになっている。また、円環状部２６の１つの軸直方向における一方の側（図１中、左側）において、大径筒部２２と小径筒部２４と円環状部２６が、環状枠部２０の軸直方向に対して略矩形状に且つ下方に向かって開口するように切り欠かれた切欠部２７が形成されている。なお、この切欠部２７は、容器１２に貯留された血液を排出する際の排出口として機能するものである。加えて、円環状部２６の軸直方向の一方の側に対向する他方の側（図１中、右側）においては、図３に示されているように、大径筒部２２のみが、環状枠部２０の軸直方向に対して略矩形状に且つ下方に向かって開口するように切り欠かれている。
【００３５】
環状枠部２０の小径筒部２４の上端部には、軸直方向内方に延び出す内フランジ部３０が形成されていると共に、内フランジ部３０の延出端部には下方に向かって突出する略円筒状の周壁３２が設けられている。かかる周壁３２の内方には、平面視において周壁３２によって囲まれた領域を周方向に３等分する隔壁３４が、周壁３２と略同じ突出寸法で形成されている。なお、周壁３２は上端から下端に向けて、径が小さくなるように形成されている。これにより、周壁３２の突出先端部は、周壁３２の突出基端部よりもやや小径とされている。
【００３６】
このように、環状枠部２０で囲まれた空間のうち、環状枠部２０の小径筒部２４に設けられた周壁３２で囲まれた囲繞空間３６が隔壁３４によって３つの領域に仕切られている。かかる隔壁３４で仕切られた３つの領域において３つの血液濾過領域としての血液収容領域３８が支持体１６の上方に開口して構成されている。加えて、隔壁３４で仕切られた３つの領域に隣接する内フランジ部３０の上面３９には、それぞれ１の字状と２の字状と３の字状の突起４０が設けられている。
【００３７】
本実施形態では、図１〜４に示されているように、３つの血液収容領域３８のうち２つの血液収容領域３８（図１〜４中、２の字状あるいは３の字状の突起４０に隣接する血液収容領域３８）は、環状枠部２０の小径筒部２４に設けられた周壁３２と隔壁３４で囲まれて構成されている。そして、かかる周壁３２と隔壁３４で囲まれた領域の下方開口部によって透孔４１が構成されている。透孔４１にはフィルタとしての血液濾過膜４２が展張状態で覆うように配設されている。なお、血液濾過膜４２としては、濾過に要求される物性とメッシュ径を有するものが採用されている。例えば、一般的な血栓濾過用途としては、ポリアミドやポリスルホン、ポリエチレン、ポリメチルメタクリレート等の合成樹脂材のメッシュシートであって、５０〜２００μｍ程度のメッシュ口径が好適に採用される。
【００３８】
一方、３つの血液収容領域３８のうち残る１つの血液収容領域３８は、図１に示されているように、平面視において扇形状を有するカップ状のフィルタ容器１８によって構成されている。かかるフィルタ容器１８の底面には、下方に向かって開口する透孔４４が形成されている。透孔４４には血液濾過膜４２が展張状態で覆うように配設されている。すなわち、環状枠部２０の周壁３２で囲まれた囲繞空間３６のうち、隔壁３４によって３等分された領域の１つに対して、フィルタ容器１８が組み付けられて構成されているのである。フィルタ容器１８の周壁４６は、環状枠部２０の周壁３２と同様に、下方側が上方側よりもやや小径とされていることから、フィルタ容器１８の周壁４６が環状枠部２０の周壁３２の内周面に当接して位置決めされるようになっている。
【００３９】
フィルタ容器１８の周壁４６の上方開口部４８の周方向中央部分には、周縁部から外周側に広がる略矩形平板状の把持片５０が形成されている。把持片５０は、フィルタ容器１８が支持体１６に装着された状態（図１，３，４参照）において、把持片５０が支持体１６の上面３９よりも外周に突出されるように形成されている。これにより、ユーザは把持片５０を手指で摘むことによって、フィルタ容器１８を容易に支持体１６から取り外し且つ安定して把持することが可能になっている。
【００４０】
加えて、フィルタ容器１８の把持片５０の中央部分には１の字状の貫通孔からなる識別標識５４が形成されている。フィルタ容器１８が支持体１６に装着された状態（図１，３，４参照）において、支持体１６の上面３９に突設された１の字状の突起４０が把持片５０の識別標識５４に対して嵌め入れられることにより、フィルタ容器１８が支持体１６に対して仮固定されるようになっている。すなわち、把持片５０の識別標識５４と支持体１６の突起４０により、フィルタ容器１８と支持体１６とを解除可能に固定する仮固定機構が構成されているのである。このように、血液濾過器具１０は仮固定機構を備えている。これにより、血液濾過器具１０を容器１２に取り付ける際や、吸引した血液を血液収容領域３８に注ぎ入れる際等に、フィルタ容器１８が支持体１６から誤って離脱することを未然に防止することができ、安定した作業が可能となっている。
【００４１】
このような構成とされた血液濾過器具１０は、濾過血液を収容するビーカー等の容器１２の開口部１４に装着されて使用される。具体的には、採取した血液を上方から上方開口部４８を通じて血液収容領域３８であるフィルタ容器１８に注ぎ入れることで、血液がフィルタである血液濾過膜４２により濾過されて、血栓等が血液から分離される。そして、フィルタ容器１８を支持体１６から取り外して、濾過された残留物を病理診断等のためにホルマリンに浸漬する等の前処理をするために、準備された処理用容器へフィルタ容器１８ごと入れて処理されるようになっている。
【００４２】
このような構造とされた本実施形態の血液濾過器具１０によれば、血液収容領域３８を構成するフィルタ容器１８が支持体１６に対して着脱可能に組み付けられている。従って、容器１２の開口部１４に対する安定した装着を実現するために支持体１６を大型化したような場合であっても、濾過採取した残留物を収容するフィルタ容器１８自体の大きさをコンパクトに構成することができる。それ故、血液濾過器具１０の容器１２への取り付け状態での安定性を確保しつつ、その後の作業性を損なうことなくその後の処理を行うことが可能となるのである。
【００４３】
また、１つの血液収容領域３８を構成するフィルタ容器１８の他に、２つの血液収容領域３８が支持体１６の環状枠部２０に形成されており、これら３つの血液収容領域３８でそれぞれ独立した血液濾過が実現可能となっている。すなわち、それぞれ別の箇所の血栓を吸引したり、同一個所でも複数回に分けて血栓を吸引した際に、各吸引時毎の血栓を各別に観察や検査したい場合であっても、各吸引時毎の濾過残留物をこれら３つの血液収容領域３８に取り分けることができるのである。
【００４４】
さらに、支持体１６を構成する環状枠部２０で囲まれた囲繞空間３６に、フィルタ容器１８が組み付けられる血液収容領域３８が形成されていることから、スペース効率のよい血液濾過器具１０を実現することができる。加えて、環状枠部２０の囲繞空間３６を３つの血液収容領域３８に仕切る隔壁３４が環状枠部２０に一体的に設けられていることから、支持体１６全体の強度向上を図ることができる。
【００４５】
次に、図５を用いて、本発明の第２の実施形態としての血液濾過器具６０について詳述するが、上記実施形態と同様な構造とされた部材および部位については、図中に、上記実施形態と同一の符号を付することにより、それらの詳細な説明を省略する。本実施形態では、フィルタ容器６２に固定片６４が形成されていると共に、固定片６４に設けられた凹部たる貫通孔６６と支持体１６に設けられた突部６８によってフィルタ容器６２と支持体１６とを解除可能に固定する仮固定機構が構成されている点に関して、上記実施形態と異なる実施形態を示すものである。
【００４６】
より詳細には、固定片６４は略矩形平板形状を有しており、フィルタ容器６２の周壁４６の周方向一方の端部側において上方開口部４８の周縁部から外周側に突出して形成されている。また、固定片６４の中央部には、略円形断面形状の貫通孔６６が貫設されている。一方、支持体１６の上面３９には、上方に向けて突出する略円形断面形状の突部６８が形成されている。突部６８は、貫通孔６６に対応する位置に形成されている。これにより、フィルタ容器６２が支持体１６に装着された状態において、かかる突部６８が貫通孔６６に対して嵌合されるようになっている。従って、第１の実施形態のように、把持片５０に固定片６４の機能を併せ持たせる構成を採用することなく、別途固定片を設けて仮固定機構を構成することも可能となる。この場合、識別標識５４を把持片５０のみに設けるようにすることができ、識別標識５４の構造を簡素化できる。
【００４７】
本実施形態は仮固定機構が上記実施形態と異なっているが、それ以外の上記実施形態と同様の構造については上記実施形態と同様の効果を得ることができる。しかも、本実施形態では、フィルタ容器６２に固定片６４を形成すると共に、対応する支持体１６の上面３９に突部６８を設けるといった、簡単な構造で仮固定機構を実現することができる。なお、仮固定機構の構成は上記の構成に限定されるものではない。例えば、下方に突出する突部６８がフィルタ容器６２の固定片６４に形成される一方、支持体１６の上面３９に凹部が設けられていてもよい。この場合、支持体１６の上面３９に設けられる凹部は、貫通孔でもよいし、下方に向けて窪んだ溝でもよい。
【００４８】
続いて、図６〜７を用いて、本発明の第３の実施形態としての血液濾過器具７０について詳述するが、上記第１の実施形態と同様な構造とされた部材および部位については、図中に、上記第１の実施形態と同一の符号を付することにより、それらの詳細な説明を省略する。本実施形態では、支持体７２に嵌合溝７４が形成されていると共に、フィルタ容器７６に嵌合溝７４に対して差し入れられる嵌合片７８が形成されており、嵌合溝７４と嵌合片７８によってフィルタ容器６２と支持体７２とを解除可能に固定する仮固定機構が構成されている点に関して、上記第１の実施形態と異なる実施形態を示すものである。
【００４９】
より詳細には、支持体７２には、上下方向および対向する周壁に対して開口する一対の切欠部８０，８０が形成されている。切欠部８０の対向する側壁の上部には、支持体７２の軸直方向に延出し且つ切欠部８０の内方及び周壁に対して開口する略矩形断面形状の一対の嵌合溝７４，７４が形成されている。一方、フィルタ容器７６は、平面視において略矩形状のカップ状に形成されている。そして、フィルタ容器７６の対向する側壁の上部には、側壁の幅方向の略全長に亘って外方に向かって突出する略矩形断面形状の一対の嵌合片７８，７８が形成されている。そして、支持体７２の一対の嵌合溝７４，７４に対してフィルタ容器６２の一対の嵌合片７８，７８を差し入れることにより、支持体７２に対してフィルタ容器７６をスライド装着することが可能となっている。
【００５０】
本実施形態のように、仮固定機構が上記第１の実施形態と異なっていても、支持体７２に対してフィルタ容器７６を着脱可能に組み付けることが可能であり、上記第１の実施形態と同様の効果が得られる。しかも、支持体７２に対してフィルタ容器７６をスライド装着することが可能となることから、支持体７２に対してフィルタ容器７６を容易且つ確実に仮固定することができるのである。なお、支持体７２に嵌合片７８が形成される一方、フィルタ容器７６に嵌合溝７４が設けられていてもよい。
【００５１】
また、図８を用いて、本発明の第４の実施形態としての血液濾過器具８２について詳述するが、上記第１の実施形態と同様な構造とされた部材および部位については、図中に、上記第１の実施形態と同一の符号を付することにより、それらの詳細な説明を省略する。本実施形態では、支持体１６に対してフィルタ容器１８，８４がそれぞれ着脱可能に組み付けられていると共に、それら各フィルタ容器１８，８４において相互に識別可能な識別標識５４が設けられている点に関して、上記第１の実施形態と異なる実施形態を示すものである。
【００５２】
より詳細には、３つの血液収容領域３８のうち２つの血液収容領域３８が、フィルタ容器１８，８４によって構成されている。フィルタ容器１８，８４の把持片５０の中央部分にはそれぞれ１の字状あるいは２の字状の貫通孔からなる識別標識５４が形成されている。一方、支持体１６の上面３９には、１の字状あるいは２の字状で上方に突出する突起４０が形成されている。フィルタ容器１８，８４の支持体１６への装着状態において、把持片５０の識別標識５４に対して１の字状あるいは２の字状の突起４０が嵌め入れられることにより、フィルタ容器１８，８４が支持体１６に対して仮固定されるようになっている。すなわち、把持片５０の識別標識５４と支持体１６の突起４０により、フィルタ容器１８と支持体１６とを解除可能に固定する仮固定機構が構成されているのである。なお、フィルタ容器８４は、把持片５０の識別標識５４の形状以外は、フィルタ容器１８と同様の構造とされている。また、フィルタ容器８４が装着される支持体１６の領域には、上記第１の実施形態と異なり、透孔４１に血液濾過膜４２が展張状態で覆うように配設されていない。
【００５３】
本実施形態では、支持体１６に対して複数のフィルタ容器１８，８４がそれぞれ着脱可能に組み付けられていることから、上記第１の実施形態と同様の効果が得られると共に、更なる利便性の向上が図られ得る。しかも、各フィルタ容器１８，８４において相互に識別可能な識別標識５４が設けられていることから、何れの部位から採取した濾過残留物であるかを容易に識別することができ、複数のフィルタ容器１８，８４を支持体１６に対して着脱可能にしたことによる錯誤発生のおそれが未然に解消されている。
【００５４】
さらに、図９を用いて、本発明の第５の実施形態としての血液濾過器具８８（８８ａ，８８ｂ，８８ｃ）について詳述するが、上記第１の実施形態と同様な構造とされた部材および部位については、図中に、上記第１の実施形態と同一の符号を付することにより、それらの詳細な説明を省略する。本実施形態では、互いに異なる３種類の支持体９０ａ，９０ｂ，９０ｃを含んでいる一方、３種類の支持体９０ａ，９０ｂ，９０ｃに対してそれぞれ共通のフィルタ容器１８が組み付け可能とされている点に関して、上記第１の実施形態と異なる実施形態を示すものである。
【００５５】
より詳細には、互いに異なる３種類の支持体９０ａ，９０ｂ，９０ｃは、上方に位置する小径筒部２４を共通にして、下方に位置する大径筒部９２ａ，９２ｂ，９２ｃとこれら筒部２４，９２間に配設された円環状部９４ａ，９４ｂ，９４ｃを拡径したものである。これにより、支持体９０ａ，９０ｂ，９０ｃのサイズや形状が異なっていても、共通のフィルタ容器１８が組み付け可能とできると共に、血液濾過器具８８（８８ａ，８８ｂ，８８ｃ）が装着される容器９６ａ，９６ｂ，９６ｃのサイズや構造などに対応して、大径筒部９２ａ，９２ｂ，９２ｃのサイズや形状を変えることができるのである。
【００５６】
本実施形態においても、各支持体９０ａ，９０ｂ，９０ｃに対して、共通のフィルタ容器１８が着脱可能に組み付け可能とされていることから、上記第１の実施形態と同様の効果が得られる。しかも、血液濾過器具８８（８８ａ，８８ｂ，８８ｃ）が装着される容器９６ａ，９６ｂ，９６ｃのサイズや構造などに対応して、サイズや形状が異なる３種類の支持体９０ａ，９０ｂ，９０ｃを予め用意することで、血液濾過器具８８の汎用性の向上を図ることができる。すなわち、例えば共通のフィルタ容器１８に対してサイズや形状が異なる複数種類の支持体を組み合わせてセット販売することで、使用する容器に応じて任意のサイズの支持体を適宜に選択使用しつつ、任意に選択した支持体に対して共通のフィルタ容器を共用して使用することも可能となり、利便性の更なる向上が達成され得る。なお、血液濾過器具や支持体の種類は例示の３種類に限定されるものではなく、任意に設定可能である。
【００５７】
以上、本発明の実施形態について詳述したが、本発明はその具体的な記載によって限定されない。例えば、本実施形態では、血液濾過膜４２で覆われた透孔４４はフィルタ容器１８の底壁に設けられていたが、フィルタ容器１８を構成する壁部の任意の場所に設けられていても良い。また、本実施形態では、３つの血液収容領域３８が構成されていたが、血液収容領域３８の数は３つ以上でも３つ未満でも任意に設定可能であり、単一の血液収容領域を有し且つその血液収容領域がフィルタ容器で形成されていてもよい。加えて、本実施形態では、３つの血液収容領域３８のうち１つもしくは２つの血液収容領域３８がフィルタ容器によって構成されていたが、全ての血液収容領域３８がフィルタ容器によって構成されていてもよい。すなわち、血液収容領域３８及びフィルタ容器の数は任意に設定可能である。
【００５８】
また、把持片５０は、フィルタ容器１８の周壁４６の上方開口部４８の全周に亘ってフランジ状に形成することも可能であるし、上記第１の実施形態のように周上で部分的に突出する舌片形状等をもって形成することも可能である。
【００５９】
加えて、図１０に示されているように、フィルタ容器９８の把持片５０に、把持片５０の下面から把持片５０の幅方向の略全長に亘って下方に向かって延出する略矩形状の延出部１００が形成されており、かかる延出部１００が支持体１６の小径筒部２４の外周面に係合することにより仮固定機構が構成されていてもよい。
【００６０】
上述の実施形態では、ビーカー等の任意の容器に血液濾過器具１０，６０，７０，８２，８８を装着して用いた態様を示したが、支持体１６，７２，９０の形状にあわせた専用の容器を作成して併せて用いるようにしてもよい。
【符号の説明】
【００６１】
１０，６０，７０，８２，８８，８８ａ〜ｃ：血液濾過器具、１２，９６ａ〜ｃ：容器、１４：開口部、１６，７２，９０ａ〜ｃ：支持体、１８，６２，７６，８４，９８：フィルタ容器、２０：環状枠部、３４：隔壁、３６：囲繞空間、３８：血液収容領域、３９：上面、４０：突起（仮固定機構）、４１，４４：透孔、４２：血液濾過膜、５０：把持片、５４：識別標識（仮固定機構）、６４：固定片、６６：貫通孔（凹部）（仮固定機構）、６８：突部（仮固定機構）、７４：嵌合溝（仮固定機構）、７８：嵌合片（仮固定機構）、１００：延出部（仮固定機構）
【図１】
0006468630.tif 000002
【図２】
0006468630.tif 000003
【図３】
0006468630.tif 000004
【図４】
0006468630.tif 000005
【図５】
0006468630.tif 000006
【図６】
0006468630.tif 000007
【図７】
0006468630.tif 000008
【図８】
0006468630.tif 000009
【図９】
0006468630.tif 000010
【図１０】
0006468630.tif 000011